(57)【要約】【課題】調理プレートに安全ガードの取付け構造を設ける必要がなく、安全ガードの取り外しが容易な電気加熱調理器を提供する。【解決手段】電気加熱調理器を、調理プレート１０が設置される開放部２１を取り囲むケース体２０の外周部２２が、上方から見て調理プレート１０を挟んで互いに平行するスリット４０、４０を有し、安全ガード３０が、スリット４０、４０に上下に抜き差しされる位置決め板３１、３１を有すると共にスリット４０、４０上に沿う軸線部３２、３２と調理プレート１０の上端辺１１の外側に沿うワイヤ状のガード部３３、３３とでリング状に形成されており、位置決め板３１、３１が、軸線部３２、３２に回動可能に巻き付けられており、位置決め板３１、３１がスリット４０、４０に差し込まれた状態で安全ガード３０が前記外周部２２上に載置されている構成とした。【選択図】図１
2006288904.tif 000002
【特許請求の範囲】
【請求項１】
調理プレートが設置される開放部、この開放部を取り囲む外周部を有するケース体と、前記調理プレートの上端辺外側に沿う安全ガードとを備え、前記調理プレートの外周が前記外周部の上方に位置する電気加熱調理器において、前記ケース体の外周部が、上方から見て前記調理プレートを挟んで互いに平行するスリットを有し、前記安全ガードが、前記スリットに上下に抜き差しされる位置決め板を有すると共にこの位置決め板が前記スリットに差し込まれた状態で前記外周部上に載置されており、前記位置決め板が、前記安全ガードに対して前記スリットに平行する軸線回りで回動可能に取り付けられていることを特徴とする電気加熱調理器。
【請求項２】
前記安全ガードが、前記スリット上に沿う軸線部と両軸線部間で前記調理プレートの上端辺外側に沿うワイヤ状のガード部とでリング状に形成されており、前記位置決め板が、前記軸線部に巻き付けられている請求項１に記載の電気加熱調理器。
【発明の詳細な説明】
【技術分野】
【０００１】
この発明は、一般にホットプレートやグリル鍋と称される電気加熱調理器に関する。
【背景技術】
【０００２】
この種の電気加熱調理器は、樹脂製のケース体の開放部内に加熱装置および調理プレートが設置され、ケース体と調理プレートとの間に遮熱板が介在されている。この構造では、開放部内に加熱装置の充電部が存在するため、調理プレートからこぼれた煮汁等が開放部内に落ちることは好ましくない。
【０００３】
また、焼き物を調理する場合には、調理プレート内に水気がないため、調理プレートの温度が瞬間的な接触で使用者が火傷を負う程の高温になる。したがって、使用者が調理プレートに触れることを防ぐ必要がある。
【０００４】
そこで、従来から、焼き物を調理するときに利用する皿状の調理プレートと、煮物を調理するときに利用する鍋状の調理プレートとを使い分けるように構成された電気加熱調理器があった。
【０００５】
具体的には、焼き物用の調理プレートは、ケース体の開放部内に埋没するように構成されている。したがって、使用者が焼き物用の調理プレートの外周や上端辺に誤って触れることはない。一方、煮物用の調理プレートは、その外周がケース体の開放部よりも上方外側に位置させられており、煮物用の調理プレートからこぼれた煮汁等がケース体の開放部外に流れ落ちるように構成されていた。なお、通常、煮物用の調理プレートの内部には煮汁があるので、その外周や上端辺付近は、使用者が瞬間的に接触した程度で火傷を負うような高温にならない。
【０００６】
しかしながら、煮物用の調理プレートと焼き物用の調理プレートを使い分ける電気加熱調理器は、２枚の調理プレートを要するのでコスト高なものであり、また、上記焼き物用の調理プレートを用いた場合には開放部内に調理物のかす等が落ち易い。
【０００７】
このため、煮物用の調理プレート型により焼き物と煮物の両方が調理される構成も考えられる。ところが、この構成では、深さのある調理プレートの底部で焼き物が調理されるので、使用者は箸等を深く差し入れる必要がある。したがって、使用者は、調理プレート上に箸等を差し入れる際にその手をうっかりと調理プレートの上端辺に触れさせ易い。
【０００８】
そこで、調理プレートの外周がケース体の開放部よりも上方外側に位置させられており、この調理プレートの上端辺外側に沿うワイヤ状の安全ガードを備えた電気加熱調理器が提案されている。この安全ガードは、調理プレートのオーバラップ部に形成されたボス部に金具を固定し、この金具に樹脂部材をネジ止めし、この樹脂部材と金具にガード両端部を係止することにより取り付けられている（特許文献１参照）。
【０００９】
特許文献１の電気加熱調理器によれば、調理プレートの外周がケース体にオーバラップした状態なので、煮汁等が開放部内に落ちることが防止され、また、安全ガードにより使用者が調理プレートに触れることも防止される。したがって、特許文献１の電気加熱調理器は、１つの調理プレートで煮物と焼き物の両方を調理することができる。
【００１０】
【特許文献１】特開平９−３１３３５８号公報
【発明の開示】
【発明が解決しようとする課題】
【００１１】
しかしながら、特許文献１の電気加熱調理器は、調理プレートのオーバラップ部にガード取付け用の樹脂部材があるため、調理プレートの外周デザインをまとめ難く、また、オーバラップ部を清掃する際に樹脂部材が邪魔になるものであった。さらに、特許文献１の電気加熱調理器は、安全ガードが調理プレートと一体化されるので、煮物を調理したり食したりする際に安全ガードが目障りであった。
【００１２】
これらの問題を解決するため、安全ガードを調理プレートと別体に設けることが考えられる。例えば、図７（ａ）、（ｂ）に示す安全ガード５０は、金属線材を用いて形成されており、調理プレート６０の上端辺６１の外側に沿うリング状のワイヤガード部５１と、ケース体６２の開放部６３を形成する内周段部６４上に載置されるリング状の支持環部５２と、ワイヤガード部５１と支持環部５２の周方向４分点に接合された連結部材５３とから構成される。なお、安全ガード５０のがたつきを防止するため、内周段部６４の上段側面には、支持環部５２を押さえる爪部６５が形成されている。
【００１３】
この安全ガード５０によれば、調理プレート６０のオーバラップ部６６に取付け構造を設ける必要がないので、調理プレート６０の外周デザインをまとめ易くなり、オーバラップ部６６の清掃も簡単になる。
【００１４】
また、連結部材５３は、オーバラップ部６６の下方に通されるクランク状になっている。図７（ｂ）中において２点鎖線で示すように、ワイヤガード部５１が上方に持ち上げられると、連結部材５３がオーバラップ部６６の下面に引っ掛かり、安全ガード５０が調理プレート６０と共に外れる。したがって、安全ガード５０は、邪魔になる場合に取り外すことができる。
【００１５】
しかしながら、安全ガード５０が水平方向に対して傾いて持ち上げられると、調理プレート６０も同様に傾く。このため、使用者は、調理プレート６０内に調理物がある場合、重みのある調理プレートごと安全ガード５０をまっすぐ持ち上げる必要があり、安全ガード５０の使い勝手が悪い。
【００１６】
そこで、この発明の目的は、上記の問題点に鑑みて、調理プレートに安全ガードの取付け構造を設ける必要がなく、安全ガードの取り外しが容易な電気加熱調理器を提供することにある。
【課題を解決するための手段】
【００１７】
上記の目的を達成するため、調理プレートが設置される開放部、この開放部を取り囲む外周部を有するケース体と、前記調理プレートの上端辺外側に沿う安全ガードとを備え、前記調理プレートの外周が前記外周部の上方に位置する電気加熱調理器において、前記ケース体の外周部が、上方から見て前記調理プレートを挟んで互いに平行するスリットを有し、前記安全ガードが、前記スリットに上下に抜き差しされる位置決め板を有すると共にこの位置決め板が前記スリットに差し込まれた状態で前記外周部上に載置されており、前記位置決め板が、前記安全ガードに対して前記スリットに平行する軸線回りで回動可能に取り付けられていることを特徴とする。
【００１８】
この発明の構成によれば、前記ケース体の外周部が、上方から見て前記調理プレートを挟んで互いに平行するスリットを有し、前記安全ガードが、前記スリットに上下に抜き差しされる位置決め板を有すると共にこの位置決め板が前記スリットに差し込まれた状態で前記外周部上に載置されているので、安全ガードが、外周部上に載置された状態で位置決め板とスリットにより安全ガードの水平方向のずれ動きが防止される。また、安全ガードは、上方に持ち上げられると、位置決め板がスリットから抜き出され、ケース体の外周部から外される。したがって、安全ガードは外周部に対して取り外し自在となり、調理プレート側に安全ガードの取付け構造を設ける必要がない。また、安全ガードは、調理プレートと独立して取り外しされるので、上記安全ガード５０に比して、調理プレート内に調理物がある状態でも容易に取り外すことが可能になる。
【００１９】
しかしながら、安全ガードの取り外しが手軽になる分、使用者による安全ガードの取り外しが雑になり易い。このため、位置決め板を安全ガードに対して固定的に取り付けると、安全ガードが水平に対してスリットと直交する方向に傾いて持ち上げられた際、位置決め板がスリット内で曲がってスリット内壁に引っ掛かり、ケース体ごと調理プレートを揺らすことも起こり得る。なお、位置決め板は、スリットに平行する方向に長さを有するので、通常この方向に曲がることはない。
【００２０】
そこで、この発明では、前記位置決め板が前記安全ガードに対して前記スリットに平行する軸線回りで回動可能に取り付けられている構成とした。この構成によれば、スリットが上方から見て調理プレートを挟んで互いに平行するため、各位置決め板が互いに平行する軸線回りで安全ガードに対して回動するようになる。これにより、安全ガードが水平に対してスリットと直交する方向に傾いて持ち上げられた場合でも、その傾きに応じて各位置決め板が安全ガードに対して相対回動しながらスリットから抜き出されるので、位置決め板がスリットと直交する方向に曲がることが防止される。したがって、この構成によれば、安全ガードが少々雑に持ち上げられても、位置決め板がスリット内壁に引っ掛かることが防止される。
【００２１】
なお、この発明の構成において「平行」とは、完全に平行であることに限定されず、スリットと軸線の向きが上記作用を得られる程度に揃っていればよい。また、「回動可能」とは、位置決め板が３６０度の回動角を有することに限定されず、想定される安全ガードの傾き角に相当する回動角があれば十分である。
【００２２】
また、安全ガードは、調理プレートの上端辺全辺に亘って沿うものに限定されず、例えば、調理プレートの取っ手部に沿って部分的に欠如したり、凹陥したりするものも含む。また、スリットと位置決め板による位置決めは、安全ガードが調理プレートの上端辺外側に沿う状態を保てればよい。
【００２３】
上記構成においては、前記安全ガードが、前記スリット上に沿う軸線部と両軸線部間で前記調理プレートの上端辺外側に沿うワイヤ状のガード部とでリング状に形成されており、前記位置決め板が、前記軸線部に巻き付けられている構成を採用することが好ましい。
【００２４】
この構成によれば、安全ガードが軸線部とワイヤ状のガード部とでリング状に形成されているので、金属線材の屈曲ないし接合により容易に形成することが可能になる。また、安全ガードに軸線部を形成されているので、ここに位置決め板を巻き付けることが可能になる。そして、位置決め板は、スリット上に沿う軸線部に巻き付けられるので、金属板の切断・曲げ加工だけで回動可能に取り付けられる。したがって、安全ガードに位置決め板を回動させるためのヒンジ機構などを設ける必要がなくなり、安全ガードを安価な素材から容易に形成することができる。
【００２５】
また、この構成によれば、軸線部とガード部をリング状に形成した後に位置決め板を巻き付けることができるので、軸線部とガード部間を複雑に屈曲させた形状にすることが可能になる。
【００２６】
そこで、前記軸線部が前記ガード部に連続する立上り部を有し、前記ガード部が前記軸線部と前記立上り部により前記調理プレートの上端辺外側に支持されるように構成することできる。これにより、ケース体側にはスリットを形成するだけでよく、ガード部を支持するための突出部や金具を設ける必要がない。このため、ケース体のデザインが制限され難くなる。また、ガード部が安全ガードの把手部となるので、安全ガードに取っ手部材を取り付ける必要もない。
【００２７】
好ましくは、位置決め板がスリット内に差し込まれた状態で埋没するように構成すれば、使用状態の製品外観視で、位置決め板を隠すことができる。
【発明の効果】
【００２８】
上述のように、この発明の電気加熱調理器は、前記ケース体の外周部が、上方から見て前記調理プレートを挟んで互いに平行するスリットを有し、前記安全ガードが、前記スリットに上下に抜き差しされる位置決め板を有すると共にこの位置決め板が前記スリットに差し込まれた状態で前記外周部上に載置されているので、調理プレートに安全ガードの取付け構造を設ける必要がなく、安全ガードの取り外しが容易になる。このため、この発明の電気加熱調理器は、調理プレートの外周デザインをまとめ易く、また、オーバラップ部の清掃を容易に行うことができ、煮物を調理する際等に安全ガードが目障りになる場合には、使用者がこれを容易に取り外すことができる。
【００２９】
また、この発明の電気加熱調理器は、前記位置決め板が前記安全ガードに対して前記スリットに平行する軸線回りで回動可能に取り付けられているので、安全ガードが少々雑に持ち上げられても、位置決め板がスリット内壁に引っ掛かることが防止される。このため、この発明の電気加熱調理器は、安全ガードの取り外し時に、ケース体ごと調理プレートが揺らされて調理物がこぼれることを防止することができる。
【発明を実施するための最良の形態】
【００３０】
以下、この発明の最良の実施形態に係る電気加熱調理器を添付図面に基づいて説明する。図１は、この電気加熱調理器の要部縦断正面を示し、図２は、この電気加熱調理器の斜め上方視を示す。この電気加熱調理器は、図１、図２に示すように、調理プレート１０が設置される開放部２１、この開放部２１を取り囲む外周部２２を有するケース体２０と、調理プレート１０の上端辺１１の外側に沿う安全ガード３０とを備える。
【００３１】
ケース体２０は、上端開放の器状で側周部２３ａが袴状に形成された下ケース２３と、側周部２３ａの上方に被さる外鍔部２４ａと周壁２４ｂが形成された保護カバー２４とを有する。開放部２１は、保護カバー２４の周壁２４ｂと下ケース２３の底部とで形成されている。外鍔部２４ａの外周と側周部２３ａの外周との間は、化粧板２５で閉塞されており、外周部２２は、側周部２３ａと外鍔部２４ａと化粧板２５とで形成されている。
【００３２】
保護カバー２４と調理プレート１０との間には、上端が保護カバー２４の縁部２４ｃに沿う器状の遮熱板２６が収められている。遮熱板２６の底部上には、加熱装置２７が装着されている。この加熱装置２７上に調理プレート１０の底部１２が設置される。
【００３３】
調理プレート１０は鍋状に形成されており、底部１２が加熱装置２７上に設置された状態で、その側周部１３の上下方向過半が開放部２１内に収まる。上端辺１１は、側周部１３の上端となっている。調理プレート１０の外周１４は、上端辺１１から下向き外側に傾斜するテーパ壁１１ａの下端に連設された垂下壁とされており、前記外鍔部２４ａの上方に位置している。このため、上端辺１１を乗り越えてこぼれた煮汁等がテーパ壁１１ａ、外周１４を伝って外鍔部２４ａ上に落下する。外鍔部２４ａの上面は外下がりに形成されており、落下した煮汁等が開放部２１内に流れることがないようになっている。
【００３４】
図３は、この電気加熱調理器の上面視で、安全ガード３０が取り外された状態を示す。ケース体２０の外鍔部２４ａは、図３に示すように、上方から見て調理プレート１０を挟んで互いに平行するスリット４０、４０を有する。スリット４０、４０は、外鍔部２４ａの平坦面部分に、上方から見て調理プレート１０の中心を通る対称線Ｌ上に対向配置で形成されており、かつその長さ方向が対称線Ｌに対して直交する方向に向けられている（図１参照）。
【００３５】
各スリット４０の内壁面は、図４、図５に示すように、外鍔部２４ａから下向きにスリット長が絞られた形状となっている。各スリット４０の下端部は、下ケース２３に対してネジ４１により固定されたスリット板４２に差し込まれており、この状態で位置決めされている。下ケース２３のうち、各スリット４０の下方部分は、上下端開放の筒壁４３で取り囲まれており、器外に開放されている。このようにスリット４０がケース体２０を上下に貫通し、その下方が器外に開放されていると、外鍔部２４ａに煮汁等がこぼれてスリット４０内に浸入した場合でも、煮汁等が内部に溜まり難くなり、また、水洗いが容易になる。
【００３６】
上記のスリット４０、４０には、安全ガード３０に取り付けられた位置決め板３１、３１が上下に抜き差しされる。
【００３７】
安全ガード３０は、スリット４０、４０上に沿い、互いに平行する軸線部３２、３２と、両軸線部間で調理プレート１０の上端辺１１の外側やや上方に沿うワイヤ状のガード部３３、３３とでリング状に形成されている。軸線部３２、３２は、ガード部３３、３３に連続する立上り部３４、３４を有する。なお、安全ガード３０の素材には、金属線材が用いられている。
【００３８】
安全ガード３０の内周は、図１、図２に示すように、調理プレート１０の外周１４よりも大周りに設けられている。これにより、安全ガード３０は、調理プレート１０の外側に嵌めるように上下させることにより前記外鍔部２４ａ上に対して載置ないし持ち上げ自在となっている。
【００３９】
各位置決め板３１は、安全ガード３０に対してスリット４０に平行する軸線回りで回動可能に取り付けられている。具体的には、各位置決め板３１は、金属板から形成されており、その上端側から軸線部３２に巻き付けられている。これにより、各位置決め板３１は、軸線部３２回りで３６０度回動自在となっている。なお、位置決め板３１を円滑に回動させるため、軸線部３２には、軸線方向に若干の遊動代が設けられている（図４参照）。
【００４０】
軸線部３２、３２をスリット４０、４０上に位置合わせした状態で外鍔部２４ａ上に安全ガード３０を下降させると、位置決め板３１、３１は、次第にスリット４０、４０に差し込まれ、やがて巻き付け部分が外鍔部２４ａ上に接する。この状態で、位置決め板３１、３１は、巻き付け部分を除いてスリット４０、４０内に埋没し、スリット４０、４０のスリット長方向両側とぴったり接触し、スリット幅方向に僅かに間隙をもって臨む状態となる。このため、安全ガード３０は、位置決め板３１、３１とスリット４０、４０とにより水平方向にズレ止めされると共に、上昇のみが可能な状態に載置される。この載置状態で、ガード部３３、３３が軸線部３２、３２と立上り部３４、３４により調理プレート１０の上端辺１１の外側やや上方に沿うように支持される（図６参照）。したがって、調理プレート１０のように底の深い煮物型の調理プレートにより焼き物の調理をする場合でも、斜め上方から箸等を差し入れられる使用者の手は、調理プレート１０の上端辺１１に接触する前に安全ガード３０のガード部３３、３３に接触するようになる。これにより、焼き物を調理する際の火傷が防止される。
【００４１】
なお、この電気加熱調理器では、使用者が、位置決め板３１、３１をスリット４０、４０に差し込む際、位置決め板３１、３１がしっかりと差し込まれた感触を得られるように構成されている。具体的には、図４、図５に示すように、スリット板４２がそのスリット部分のスリット長方向両側に舌片部４４ａ、４４ｂを有し、位置決め板３１の側縁が舌片部４４ａ、４４ｂを下向きに押して弾性変形させるようになっている。
【００４２】
そして、使用者が安全ガード３０を上昇させて位置決め板３１、３１をスリット４０、４０から抜き出そうとする際、安全ガード３０が、図１中において２点鎖線で示すように、水平に対してスリット４０、４０に直交する方向に傾くと、各位置決め板３１が、軸線部３２回りで安全ガード３０に対して回動する。これにより、安全ガード３０の傾きに応じて各位置決め板３１が安全ガード３０に対して相対回動しながらスリット４０から抜き出される。このため、安全ガード３０が少々雑に持ち上げられても、各位置決め板３１がスリット４０と直交する方向に曲がることが防止され、その結果、各位置決め板３１がスリット４０の内壁に引っ掛かることが防止される。
【図面の簡単な説明】
【００４３】
【図１】実施形態に係る電気加熱調理器の要部縦断正面図
【図２】図１の電気加熱調理器の外観を斜め上方視で示す全体斜視図
【図３】図１の電気加熱調理器の安全ガードを外した状態の上面図
【図４】図１の電気加熱調理器のスリット部分の拡大縦断側面図
【図５】図１の下ケースのスリット下方とスリット板とを抜き出して示す分解斜視図
【図６】図２のVI−VI線の拡大断面図
【図７】（ａ）従来の問題を解決するための安全ガードの一例を示す全体斜視図、（ｂ）図７（ａ）の安全ガードの作用図
【符号の説明】
【００４４】
１０、６０  調理プレート
１１、６１  上端辺
１１ａ  テーパ壁
１２  底部
１３  側周部
１４  外周
２０、６２  ケース体
２１、６３  開放部
２２  外周部
２３  下ケース
２３ａ  側周部
２４  保護カバー
２４ａ  外鍔部
２４ｂ  周壁
２４ｃ  縁部
２５  化粧板
２６  遮熱板
２７  加熱装置
３０、５０  安全ガード
３１  位置決め板
３２  軸線部
３３  ガード部
３４  立上り部
４０  スリット
４１  ネジ
４２  スリット板
４３  筒壁
４４ａ、４４ｂ  舌片部
５１  ワイヤガード部
５２  支持環部
５３  連結部材
６４  内周段部
６５  爪部
６６  オーバラップ部
【図１】
2006288904.tif 000003
【図２】
2006288904.tif 000004
【図３】
2006288904.tif 000005
【図４】
2006288904.tif 000006
【図５】
2006288904.tif 000007
【図６】
2006288904.tif 000008
【図７】
2006288904.tif 000009